(57)【要約】【課題】表示装置に外力が加わった際に、角部を起点として表示パネルが破損することを抑制する。【解決手段】表示装置は、一対のガラス基板６，７を有する表示パネル２と、表示パネル２の一対の主面にそれぞれ当接した状態で該表示パネル２を挟持する第１支持フレーム３１及び第２支持フレーム３３と、を備え、第１支持フレーム３１は表示パネル２の一方の主面の角部２１１のうち少なくとも１つを露出した状態で表示パネル２を支持する。【選択図】図３
2011175055.tif 000002
【特許請求の範囲】
【請求項１】
少なくとも一枚の透明基板を有する表示パネルと、
前記表示パネルの一対の主面にそれぞれ当接した状態で該表示パネルを挟持する第１支持フレーム及び第２支持フレームと、を備え、
前記第１支持フレームは前記表示パネルの一方の主面の角部のうち少なくとも１つを露出した状態で前記表示パネルを支持することを特徴とする表示装置。
【請求項２】
前記第１支持フレームは前記表示パネルの一方の主面の角部の全てを露出した状態で前記表示パネルを支持することを特徴とする請求項１に記載の表示装置。
【請求項３】
前記第２支持フレームは前記表示パネルの他方の主面の角部のうち少なくとも１つを露出した状態で前記表示パネルを支持することを特徴とする請求項１又は２に記載の表示装置。
【請求項４】
前記第２支持フレームは前記表示パネルの他方の主面の角部の全てを露出した状態で前記表示パネルを支持することを特徴とする請求項３に記載の表示装置。
【請求項５】
前記第１支持フレーム又は前記第２支持フレームのうち前記表示パネルの前記主面と当接する当接板部には、外方に向けて切り欠かれた切欠部が周縁部に形成された開口が設けられ、前記切欠部を介して前記角部が露出されていることを特徴とする請求項１から４の何れか一項に記載の表示装置。
【請求項６】
前記第１支持フレーム又は前記第２支持フレームのうち前記表示パネルの前記主面と当接する当接板部には、周縁部全体が前記透明基板と重なった開口と、該開口の外側に前記当接板部を貫通する孔とが設けられ、前記孔を介して前記角部が露出されていることを特徴とする請求項１から４の何れか一項に記載の表示装置。
【請求項７】
前記当接板部は、前記表示パネルの前記主面の周縁部のうち前記角部を除く部分と重なっていることを特徴とする請求項５又は６に記載の表示装置。
【請求項８】
前記第１支持フレーム及び前記第２支持フレームのうち少なくとも一方が金属製であることを特徴とする請求項１から７の何れか一項に記載の表示装置。
【請求項９】
前記表示パネルは、前記少なくとも一枚の透明基板である第１の透明基板及び第２の透明基板と、対向配置された前記第１の透明基板と前記第２の透明基板との間に配置された液晶層とを有する液晶表示パネルであることを特徴とする請求項１から８の何れか一項に記載の表示装置。
【請求項１０】
前記第１支持フレームは、前記第２の透明基板の前記第１の透明基板に対向する面の反対の面側を支持し、
前記第２支持フレームは、前記第１の透明基板の前記第２の透明基板に対向する面の反対の面側を支持することを特徴とする請求項９に記載の表示装置。
【請求項１１】
前記液晶表示パネルの一方の面側に設けられ、前記液晶表示パネルに向けて光を照射する光源装置を更に備え、
前記第２支持フレームは前記液晶表示パネル及び前記光源装置を支持することを特徴とする請求項９に記載の表示装置。
【請求項１２】
前記表示パネルは基板上にエレクトロルミネッセンス発光層が設けられたＥＬ表示パネルであることを特徴とする請求項１から８の何れか一項に記載の表示装置。
【発明の詳細な説明】
【技術分野】
【０００１】
本発明は、表示装置に関する。
【背景技術】
【０００２】
従来の液晶表示装置においては、金属フレームが、液晶表示パネルのガラス基板の一方の面の角部を含む外周縁部全体に当接した状態で回路基板に取り付けられることによって、液晶表示パネルが固定されている（例えば特許文献１参照）。
【先行技術文献】
【特許文献】
【０００３】
【特許文献１】特開平５−１６５０１８号公報
【発明の概要】
【発明が解決しようとする課題】
【０００４】
ところで、ガラス基板をスクライブカットして外形を成形すると、ガラス基板の角部にクラックが存在する場合があり、角部がもろくなっている。上記液晶表示装置においては、金属フレームが、液晶表示パネルのガラス基板の一方の面の角部を含む周縁部全体に当接しているので、金属フレームを介して上記液晶表示装置に外力が加わると、ガラス基板の角部に応力が集中して、角部を起点としてガラス基板が欠けたり割れたりするといった問題があった。
【０００５】
そこで本発明の課題は、表示装置に外力が加わった際に、角部を起点として表示パネルが破損することを抑制することを目的とする。
【課題を解決するための手段】
【０００６】
以上の課題を解決するため、本発明の一態様によれば、
少なくとも一枚の透明基板を有する表示パネルと、
前記表示パネルの一対の主面にそれぞれ当接した状態で該表示パネルを挟持する第１支持フレーム及び第２支持フレームと、を備え、
前記第１支持フレームは前記表示パネルの一方の主面の角部のうち少なくとも１つを露出した状態で前記表示パネルを支持することを特徴とする表示装置が提供される。
【０００７】
上記表示装置において、好ましくは、前記第１支持フレームは前記表示パネルの一方の主面の角部の全てを露出した状態で前記表示パネルを支持する。
上記表示装置において、好ましくは、前記第２支持フレームは前記表示パネルの他方の主面の角部のうち少なくとも１つを露出した状態で前記表示パネルを支持する。
上記表示装置において、好ましくは、前記第２支持フレームは前記表示パネルの他方の主面の角部の全てを露出した状態で前記表示パネルを支持する。
上記表示装置において、好ましくは、前記第１支持フレーム又は前記第２支持フレームのうち前記表示パネルの前記主面と当接する当接板部には、外方に向けて切り欠かれた切欠部が周縁部に形成された開口が設けられ、前記切欠部を介して前記角部が露出されている。
上記表示装置において、好ましくは、前記第１支持フレーム又は前記第２支持フレームのうち前記表示パネルの前記主面と当接する当接板部には、周縁部全体が前記透明基板と重なった開口と、該開口の外側に前記当接板部を貫通する孔とが設けられ、前記孔を介して前記角部が露出されている。
上記表示装置において、好ましくは、前記当接板部は、前記表示パネルの前記主面の周縁部のうち前記角部を除く部分と重なっている。
上記表示装置において、好ましくは、前記第１支持フレーム及び前記第２支持フレームのうち少なくとも一方が金属製である。
上記表示装置において、好ましくは、前記表示パネルは、前記少なくとも一枚の透明基板である第１の透明基板及び第２の透明基板と、対向配置された前記第１の透明基板と前記第２の透明基板との間に配置された液晶層とを有する液晶表示パネルである。
上記表示装置において、好ましくは、前記第１支持フレームは、前記第２の透明基板の前記第１の透明基板に対向する面の反対の面側を支持し、
前記第２支持フレームは、前記第１の透明基板の前記第２の透明基板に対向する面の反対の面側を支持する。
上記表示装置において、好ましくは、前記液晶表示パネルの一方の面側に設けられ、前記液晶表示パネルに向けて光を照射する光源装置を更に備え、
前記第２支持フレームは前記液晶表示パネル及び前記光源装置を支持する。
上記表示装置において、好ましくは、前記表示パネルは基板上にエレクトロルミネッセンス発光層が設けられたＥＬ表示パネルである。
【発明の効果】
【０００８】
本発明によれば、支持フレームが表示パネルの角部を露出した状態で表示パネルを固定しているので、表示装置に外力が加わった際に表示パネルの角部に応力が集中することを抑制し、ひいては角部を起点として表示パネルが破損することを抑制することができる。
【図面の簡単な説明】
【０００９】
【図１】本発明の第１の実施形態に係る表示装置の全体構成を模式的に示した分解斜視図である。
【図２】図１に示されたII-II線に沿った面の矢視断面図である。
【図３】第１の実施形態に係る表示装置の正面図である。
【図４】第２の実施形態に係る表示装置の正面図である。
【図５】第３の実施形態に係る表示装置の全体構成を模式的に示した分解斜視図である。
【図６】第３の実施形態に係る表示装置の背面図である。
【発明を実施するための形態】
【００１０】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
＜第１の実施の形態＞
まず、本発明の第１の実施形態について図１及び図２を参照して説明する。
図１は本実施形態にかかる表示装置１００の全体構成を模式的に示した分解斜視図であり、図２は図１におけるII-II線に沿った面の矢視断面図であり、図３は表示装置１００の正面図である。これら図１，２に示すように、表示装置１００は光源装置１、表示パネル２、フレーム３等を備える。
【００１２】
表示パネル２は、アクティブマトリクス方式のもので、図２に示すように、予め定めた間隙を設けて、矩形状の第１のガラス基板（第１の透明基板）６の正面と矩形状の第２のガラス基板（第２の透明基板）７の背面が対向配置されて構成されている。ここで、表示パネル２が有する基板はガラス基板に限らず、例えばプラスチック基板といった他の透明な絶縁基板であってもよい。また表示パネル２は、第１のガラス基板６と第２のガラス基板７との間隙に液晶層（図示省略）を挟んで構成された液晶表示パネルである。第１のガラス基板６と第２のガラス基板７の互いに向き合う内面には、第一と第二の透明電極（図示省略）が設けられている。第一と第二の透明電極は、電圧の印加により液晶層の液晶分子の配向状態を変化させて光の透過を制御する複数の画素をマトリクス状に形成している。また、観察側の第２のガラス基板７の正面（表示パネル２の一方の主面）には偏光板２３が貼り付けられている。他方、背面側の第１のガラス基板６の背面（表示パネル２の他方の主面）には偏光板を含む光学シート２４が貼り付けられている。ここで光学シート２４は偏光板及び位相差板を含むものや反射型偏光板及び１／４λ板を含むものであってもよく、用途に応じて適宜変更可能である。また、背面側の第１のガラス基板６には、観察側の第２のガラス基板７から張り出す張出部６１が形成されている。張出部６１には、上記の透明電極間に駆動電圧を印加するためのドライバ素子２５が搭載されている。また、張出部６１には、ドライバ素子２５に外部回路からの制御信号を供給するためのフレキシブル配線基板２６が接続されている。
【００１３】
表示パネル２には複数の角部２１１，２１２が形成されている。すなわち、表示パネル２の正面側には、第２のガラス基板７の正面及び側面により４つの角部２１１が形成されており、表示パネル２の背面側には、第１のガラス基板６の背面及び側面により４つの角部２１２が形成されている。
【００１４】
次に光源装置１について説明する。
光源装置１は、表示パネル２に向けて面発光するものであり、表示パネル２の背後、すなわち表示パネル２の観察側とは反対側に配置されている。光源装置１は、図１及び図２に示すように、反射シート１１と、導光板４と、ＬＥＤ（Light Emitting Diode）ユニット１５と、フレーム８０と、光学シート４１，４２，４３と及び遮光シート１２とを備えている。
【００１５】
反射シート１１は、導光板４の背面に対向配置され、導光板４の背面から出射される光を導光板４の内側へと反射するものである。
【００１６】
導光板４は、板状の透明部材により正面視矩形状に形成されている。導光板４の正面側が出射面４４となっており、導光板４の背面側が反射シート１１の正面に当接して配置されている。また、導光板４の正面側一辺部には両面テープ１８を介してＬＥＤユニット１５が取り付けられている。導光板４の該一辺部側の側面は、ＬＥＤユニット１５からの光が入射する入射面４７が形成されている。
【００１７】
ＬＥＤユニット１５は、導光板４に光を供給するものであり、フレキシブル配線基板１６と、複数のＬＥＤ１７とを有している。複数のＬＥＤ１７はそれぞれ略直方体状をした光源である。ＬＥＤ１７は導光板４の入射面４７と対向し、その対向面には光出射面１７１が形成されている。ＬＥＤ１７から照射された光は入射面４７から導光板４内に入射し、出射面４４から導光板４の正面方向へ出射される。
【００１８】
光学シート４１，４２，４３は、正面視略矩形状に形成されていて、導光板４の出射面４４上に積層されている。ここで、出射面４４の直上の光学シート４１は、出射面４４からの出射光を拡散させて輝度を均一にする光散乱シートである。また、光学シート４２，４３はそれぞれ一方の面に平坦面が形成され、他方の面に多数の微細な線状のプリズムが形成されたプリズムシートである。光学シート４２，４３は、平坦面が導光板４側を向くように配置され、線状プリズムが互いに平行に配置されている。
【００１９】
そして、光学シート４１，４２，４３はそれぞれ、本体部４１１，４２１，４３１と、該本体部４１１，４２１，４３１の縁部から延出する係止部４１２，４２２，４３２とを有する。これら光学シート４１，４２，４３によって、導光板４の出射面４４から出射された光を光学シート４３の正面に対してほぼ垂直な方向に向けて出射することができるようになっている。
【００２０】
遮光シート１２は、図１及び図２に示すように、正面視略ロ字状に形成されていて、光学シート４３の正面の周縁部を囲んで光学シート４３の周縁から光が漏れることを防止するものである。遮光シート１２は、表示パネル２の光学シート２４と、光学シート４３とにより挟持された状態で、フレーム８０により支持されている。
【００２１】
フレーム８０は、反射シート１１、導光板４、光学シート４１，４２，４３及び遮光シート１２を収容する略矩形枠状に形成された樹脂部材である。フレーム８０の内周面には、内側に向かって延出する延出部８２が形成されている。延出部８２によって遮光シート１２及び光学シート４１，４２，４３が支持されている。延出部８２の正面における光学シート４１，４２，４３の係止部４１２，４２２，４３２のそれぞれに対応する位置には、これら係止部４１２，４２２，４３２が係合する係合用凹部８２１が形成されている。係合用凹部８２１は、係合対象である係止部４１２，４２２，４３２に対応した形状に形成されている。
【００２２】
フレーム３は、外形が平面略矩形状である金属製の第１支持フレーム３１と、外形が平面略矩形状である金属製の第２支持フレーム３３とを有し、光源装置１及び表示パネル２を支持している。
図３は、第１支持フレーム３１と表示パネル２の位置関係を示した表示装置１００の概略正面図である。
【００２３】
第１支持フレーム３１は、表示パネル２の正面側を支持するとともに、正面側から表示パネル２及び光源装置１を覆うように設けられている。第１支持フレーム３１の天板（当接板部）３１１には、略矩形状の表示用開口３１２が形成されている。この表示用開口３１２により観察側から表示パネル２の表示領域Ｇを見ることができる。また、表示用開口３１２は正面から見て、表示パネル２の正面全体よりも僅かに小さく形成されており、表示パネル２の正面周縁部が第１支持フレーム３１に当接して支持されている。
【００２４】
また、略矩形状に形成された表示用開口３１２の四隅には、表示パネル２の角部２１１を露出するようにそれぞれ切欠部３１３が形成されている。切欠部３１３は、正面から見て、表示用開口３１２の隅部分から角部２１１の２等分線に沿って外側へ延びるように切り欠いて形成されている。つまり第１支持フレーム３１は、表示パネル２の角部２１１には当接していない。これにより、表示装置１００に外力が加わり、第１支持フレーム３１を介して表示パネル２の周縁部に外力が加わっても、表示パネル２の角部２１１に応力が集中することがなく、表示パネル２の角部２１１が割れたり欠けたりしてしまうことを抑制することができる。
【００２５】
なお、切欠部３１３の数は４つに限られず１〜３つであってもよい。また、４つの切欠部３１３の形状及び大きさは図示例に限られるものではなく、表示パネル２の角部２１１を露出させることができる形状及び大きさであればよい。
【００２６】
図１，２に示すように、第２支持フレーム３３には、光源装置１及び表示パネル２が収納されていて、これらを覆うようにして上記第１支持フレーム３１が係合している。
【００２７】
次に本実施形態の作用について説明する。
ＬＥＤ１７を点灯すると光出射面１７１が発光し、導光板４の入射面４７に光が入射する。入射した光は導光板４内で導光されて出射面４４から正面側に向かって出射される。導光板４から出射された光は、光学シート４１，４２，４３を透過し、表示パネル２の背面側に入射する。これにより光源装置１が表示パネル２を背面側から照らしている。
そして、第１支持フレーム３１は表示パネル２の正面側を支持し、第２支持フレーム３３は光源装置１の背面側を支持して、第１支持フレーム３１及び第２支持フレーム３３により表示装置１００の外形が形成されている。表示装置１００に外力が加えられた場合、その外力は第１支持フレーム３１を介して表示パネル２の周縁部に伝わる。しかし、第１支持フレーム３１は表示パネル２の角部２１１に当接していないため、角部２１１に応力が集中しにくい。よって、表示パネル２の角部２１１が割れたり欠けたりすることを抑制することができる。
【００２８】
本実施形態によれば、表示パネル２の正面周縁部を覆う第１支持フレーム３１の表示用開口３１２の角部に切欠部３１３が形成され、表示パネル２の正面側の角部２１１が第１支持フレーム３１に当接することなく露出している。第１支持フレーム３１に外力が加わって表示パネル２に応力が発生しても、それが角部２１１に集中することがない。したがって表示パネル２の角部２１１が割れたり欠けたりすることを抑制することができる。また、本実施形態では、表示パネル２の正面の周縁部のうち露出された角部２１１を除く部分全てが第１支持フレーム３１の天板３１１と重なっているので、表示パネル２が破損することを抑制しつつ、表示パネル２を確実に保持することができる。なお、本実施形態では、第１支持フレーム３１及び第２支持フレーム３３がいずれも金属製である場合を例示して説明したが、これらはいずれも金属製でなくてもよいし、いずれか一方が金属製であってもよい。
【００２９】
＜第２の実施の形態＞
続いて本発明の第２の実施の形態について図４を参照して説明する。第１の実施形態における表示装置に対応する箇所については同一の符号を付し、説明を省略する。
【００３０】
図４は、第２の実施形態における表示装置１００Ａの正面図である。
本実施形態の第１支持フレーム３１ａの天板３１１ａには、略矩形状の表示用開口３１２ａが形成されている。この表示用開口３１２ａは正面から見て、表示パネル２ａの正面全体よりも僅かに小さく形成されており、表示用開口３１２ａの周縁部全体が表示パネル２の正面と重なっている。本実施形態における第１支持フレーム３１ａには、切欠部３１３が形成されていない代わりに、表示パネル２ａの角部２１１ａが露出するように孔３１４ａが形成されている。したがって本実施形態においても、第１支持フレーム３１ａが表示パネル２ａの角部２１１ａに当接していない。また、孔３１４ａは天板３１１ａを貫通した円形の孔である。孔３１４ａは、正面から見て、矩形状の表示用開口３１２ａの四隅の外側に形成されており、表示用開口３１２ａとは連通していない。
なお、孔３１４ａの数は４つに限られず１〜３つであってもよい。また、４つの孔３１４ａの形状及び大きさは図示例に限られるものではなく、表示パネル２の角部２１１ａを露出させることができる形状及び大きさであればよい。
【００３１】
第２の実施形態によれば、上記第１の実施形態と同様の効果を奏することができる。すなわち、第１支持フレーム３１ａには孔３１４ａが形成され、表示パネル２ａの角部２１１ａが第１支持フレーム３１ａに当接することなく露出している。これにより、フレーム３ａに外力が加えられて表示パネル２ａに応力が発生しても、角部２１１ａに応力が集中することがなく、表示パネル２ａの角部２１１ａが割れたり欠けたりすることを抑制できる。
【００３２】
＜第３の実施形態＞
続いて本発明の第３の実施の形態について図５及び図６を参照して説明する。第１の実施形態における表示装置に対応する箇所については同一の符号を付し、説明を省略する。
【００３３】
図５は、第３の実施形態にかかる表示装置１００Ｂの全体構成を模式的に示した分解斜視図である。なお、図５においては光源装置の図示を省略している。
図６は、第３の実施形態にかかる表示装置１００Ｂの概略背面図である。
【００３４】
第２支持フレーム３３ｂは、表示パネル２ｂを内側に収納した状態で、第１支持フレーム３１ｂに係止可能な金属製部材である。第２支持フレーム３３ｂは、表示パネル２ｂの背面側、すなわち第１のガラス基板６ｂの背面を光学シート２４ｂを介して支持している。また、第２支持フレーム３３ｂの底板（当接板部）３３１ｂにはその厚さ方向に貫通する矩形状の採光用開口３３２ｂが設けられている。採光用開口３３２ｂは第１支持フレーム３１ｂの表示用開口３１２ｂとほぼ同じ大きさに形成されている。採光用開口３３２ｂから光を取り入れることで表示パネル２ｂを背面側から照らすことができる。
【００３５】
図６に示すように、表示パネル２ｂの４つの角部２１２ｂが露出するように、第２支持フレーム３３ｂには孔３３３ｂ及び切欠部３３４ｂがそれぞれ２つずつ形成されている。孔３３３ｂは、底板３３１ｂの厚さ方向に貫通した円形の孔である。孔３３３ｂは、背面から見て、底板３３１ｂの四隅のうちフレキシブル配線基板２６ｂ側の２箇所の隅部分に形成されている。
切欠部３３４ｂは、採光用開口３３２ｂの四隅のうち、フレキシブル配線基板２６ｂから離れた２箇所の隅部分に形成されている。切欠部３３４ｂは、正面から見て、採光用開口３３２ｂの当該隅部分から角部２１２ｂの２等分線に沿って外側へ延びるように切り欠いて形成されている。
なお、孔３３３ｂ及び切欠部３３４ｂはどちらか一方だけ設けていてもよいし、孔３３３ｂ及び切欠部３３４ｂがそれぞれ１つずつ設けられていてもよい。また、孔３３３ｂ及び切欠部３３４ｂの大きさは図示例に限られるものではなく、表示パネル２ｂの角部２１１ｂを露出させることができる形状及び大きさであればよい。
【００３６】
第１支持フレーム３１ｂは、表示パネル２ｂの正面側、すなわち第２のガラス基板７ｂの正面を偏光板２３ｂを介して支持している。
【００３７】
第３の実施形態によれば、第１支持フレーム３１ｂに切欠部３１３ｂが設けられているとともに、第２支持フレーム３３ｂに孔３３３ｂ及び切欠部３３４ｂが設けられているため、表示パネル２ｂの正面側の角部２１１ｂと、背面側の角部２１２ｂとを両方とも露出させることができる。これによりフレーム３ｂに外力が加えられて表示パネル２ｂに応力が発生しても、角部２１１ｂ，２１２ｂに応力が集中することがなく、表示パネル２ｂの角部２１１ｂ，２１２ｂが割れたり欠けたりすることを抑制できる。また、本実施形態のように光源装置を備えていない構造にすることで、表示装置１００Ｂを薄型にすることができる。
【００３８】
なお、上記各実施形態において表示パネルは、ガラス基板やプラスチック基板といった透明な絶縁基板上にエレクトロルミネッセンス発光層が設けられたＥＬ表示パネルであってもよい。
【符号の説明】
【００３９】
１  光源装置
２  表示パネル
６  第１のガラス基板（第１の透明基板）
７  第２のガラス基板（第２の透明基板）
３１  第１支持フレーム
３３  第２支持フレーム
１００  表示装置
２１１  角部
２１２  角部
３１１  天板（当接板部）
３１４ａ  孔
３１２  表示用開口（開口）
３１３  切欠部
３３１ｂ  底板（当接板部）
３３２ｂ  採光用開口（開口）
３３３ｂ  孔
３３４ｂ  切欠部
【図１】
2011175055.tif 000003
【図２】
2011175055.tif 000004
【図３】
2011175055.tif 000005
【図４】
2011175055.tif 000006
【図５】
2011175055.tif 000007
【図６】
2011175055.tif 000008